(57)【要約】【課題】片手でハンドルを持ったままアイロン部を自動で回転させて手首のひねりで毛髪を巻き付けていくといった高度の熟練した技術を必要とせず、他方の手の自由を確保して毛髪の毛流れや偏りを他方の手で整えたりドライヤーを他方の手で持ったりすることができ、十分で納得する仕上がりが得られる自動巻きヘアーアイロンの提供。【解決手段】内部に正逆回転可能な電動モータ３が設けられたハンドル１の先端に回転アイロン部２が連結され、回転アイロン部はヒータ４により加熱される加熱手段を備えると共に、基端部に回転台座２０が設けられ、回転台座がハンドルの先端に回転可能に軸支され、かつ電動モータに動力伝達部を介して連結されて回転アイロン部が回転するように形成されている。【選択図】図１
2014226565.tif 000002
【特許請求の範囲】
【請求項１】
ハンドル（１）の先端に回転アイロン部（２）が連結された自動巻きヘアーアイロンであって、
前記ハンドル（１）の内部に正逆回転可能な電動モータ（３）が設けられ、
前記回転アイロン部（２）はヒータ（４）により加熱される加熱手段を備えると共に、基端部に回転台座（２０）が設けられ、
前記回転台座（２０）が前記ハンドル（１）の先端に回転可能に軸支され、かつ回転台座（２０）に前記電動モータ（３）が動力伝達部を介して連結されて、電動モータ（３）の回転駆動により回転アイロン部（２）が回転するように形成されていることを特徴とする自動巻きヘアーアイロン。
【請求項２】
請求項１記載の自動巻きヘアーアイロンにおいて、前記回転アイロン部（２）の加熱手段が多元素鉱物を粉砕して形成した多元素鉱物ミネラルパウダーを含有している自動巻きヘアーアイロン。
【請求項３】
請求項１記載の自動巻きヘアーアイロンにおいて、前記回転アイロン部（２）の加熱手段が多元素鉱物ミネラルパウダーに加えて、遠赤外線放射材料を粉砕して形成した遠赤外線放射パウダーを含有している自動巻きヘアーアイロン。
【発明の詳細な説明】
【技術分野】
【０００１】
本発明は、理容店や美容院等の業務用品として、また、家庭用市販品として供され、特に毛髪にカールやウエーブを付ける際に使用する自動巻きヘアーアイロンに関する。
【背景技術】
【０００２】
ヘアーアイロンは、ハンドルの先端にアイロン部が連結されたもので、このアイロン部としては、例えば、加熱手段としての巻付胴部とグローブを備え、この巻付胴部とグローブの間に毛髪の先端部を挟持させた状態で巻付胴部の外周に毛髪を巻き付けることで毛髪にカールやウエーブを付けるもの（特許文献１参照）が知られている。
又、加熱手段としての固定バレルと開閉バレルを備え、開閉バレルを閉じて両バレルの対向面間に毛髪の先端部を挟持させた状態で両バレルの外周に毛髪を巻き付けることで毛髪にカールやウエーブを付けるもの（特許文献２参照）など、種々の構造のものが知られている。
【０００３】
使用に際しては、片方の手でハンドルを持ち、加熱手段（巻付胴部やバレル等）に毛髪を巻き付けていくことになるが、このとき施術者はハンドルを持った手の手首をひねりながら毛髪を巻き付けていくといった動作を行う必要がある。
このような手首のひねりで毛髪を巻き付けていくには高度の熟練した技術を要する。
【０００４】
又、アイロンの振れ動きを抑えるために他方の手でもアイロンを支える必要があり、このため他方の手の自由が利かず、毛髪の毛流れや偏りを他方の手で整えたりすることができず、巻き付け状態に乱れが生じたり仕上がりが不十分になったりするなど、納得する仕上がりが得られ難いという問題があった。
【０００５】
尚、回転アイロン部を備えた自動巻きヘアーアイロン、及びこの自動巻きヘアーアイロンにおいて回転アイロン部の加熱手段に多元素鉱物ミネラルパウダーや遠赤外線放射パウダーを含有させたものは見当たらない。
【先行技術文献】
【特許文献】
【０００６】
【特許文献１】実用新案登録第３１５３７３７号公報
【特許文献２】特開２０１２−２２８５９３号公報
【発明の概要】
【発明が解決しようとする課題】
【０００７】
本発明は、片手でハンドルを持ったままアイロン部を自動で回転させることができるようにすることで、手首のひねりで毛髪を巻き付けていくといった高度の熟練した技術を要することなく、しかも他方の手の自由を確保して毛髪の毛流れや偏りを他方の手で整えたりすることができ、十分で納得する仕上がりが得られるようにした自動巻きヘアーアイロンを提供することを課題としている。
【０００８】
さらに、多元素鉱物ミネラルパウダーから放射される微弱エネルギー及び／又は遠赤外線放射パウダーから放射される遠赤外線により毛髪をケアしながらスタイリングすることができ、また、頭皮の血行を増進させて効果的なケアができる自動巻きヘアーアイロンを提供することを課題としている。
【課題を解決するための手段】
【０００９】
上記の課題を解決するために本発明は以下のように構成した。
即ち、請求項１記載の自動巻きヘアーアイロンは、
ハンドル（１）の先端に回転アイロン部（２）が連結された自動巻きヘアーアイロンであって、
前記ハンドル（１）の内部に正逆回転可能な電動モータ（３）が設けられ、
前記回転アイロン部（２）はヒータ（４）により加熱される加熱手段を備えると共に、基端部に回転台座（２０）が設けられ、
前記回転台座（２０）が前記ハンドル（１）の先端に回転可能に軸支され、かつ回転台座（２０）に前記電動モータ（３）が動力伝達部を介して連結されて、電動モータ（３）の回転駆動により回転アイロン部（２）が回転するように形成されている。
【００１０】
又、請求項２記載の自動巻きヘアーアイロンは、
請求項１記載の自動巻きヘアーアイロンにおいて、前記回転アイロン部（２）の加熱手段が多元素鉱物を粉砕して形成した多元素鉱物ミネラルパウダーを含有している。
【００１１】
又、請求項３記載の自動巻きヘアーアイロンは、
請求項１記載の自動巻きヘアーアイロンにおいて、前記回転アイロン部（２）の加熱手段が多元素鉱物ミネラルパウダーに加えて、遠赤外線放射材料を粉砕して形成した遠赤外線放射パウダーを含有している。
【発明の効果】
【００１２】
本発明の自動巻きヘアーアイロンは（請求項１）、ハンドルの先端に正逆回転可能な電動モータによって回転駆動される回転アイロン部が連結された構成に特徴がある。
従って、使用に際し片手でハンドルを持ったまま回転アイロン部を自動で回転させることができ、これにより手首のひねりで毛髪を巻き付けていくといった熟練した技術を必要としない。
【００１３】
特に、カールやウエーブは、外巻きカールと内巻きカール、フォワードウエーブとリバースウエーブという様に、正巻きと逆巻きを行う左右対称のヘアースタイルでは高度の熟練した技術が要求されるが、本発明では正逆回転可能な電動モータによって回転アイロン部を自在に正逆回転させることができ、高度の熟練した技術を要することなく、簡単に正巻きと逆巻きを行うができるようになった。
【００１４】
又、回転アイロン部の加熱手段に多元素鉱物を粉砕して形成した多元素鉱物ミネラルパウダーを含有させることができる（請求項２）。
これにより、多元素鉱物ミネラルパウダーから放射される微弱エネルギーにより毛髪をケアしながらスタイリングすることができる。
また、多元素鉱物ミネラルパウダーの作用によって静電気が発生せず、回転アイロンによるカール施術やウエーブ施術をスムーズに行なうことができると共にスタイリングも容易にできる。
【００１５】
しかも多元素鉱物ミネラルパウダーから発生するマイナスイオンによって髪や頭皮の血行を良好にでき、また、マイナスイオンによって毛髪の水分にクラスター現象（水の分子集団を小さくする力）が生じ、毛髪のツヤ感と潤い感を高めサラサラでまとまりのあるデザインに仕上げることができる。
また、マイナスイオンが毛髪のキュ−ティクル（ガラス状の繊維）に作用し、常にツヤのよい状態に保つことができ、特に、ダメ−ジヘアや細くてまとまりづらい毛髪に効果的である。
【００１６】
又、前記多元素鉱物ミネラルパウダーに加えて遠赤外線放射パウダーを含有させることができる（請求項３）。
このように、多元素鉱物ミネラルパウダーに加えて、遠赤外線放射パウダーを含有させると、この遠赤外線放射パウダーから遠赤外線が放射され、毛髪や頭皮を内部から温めることができる。
これにより、毛髪を効果的にケアすることができる。
又、遠赤外線放射パウダーから放射される遠赤外線によって毛髪を内部から温めることができるので、毛髪のカールやウエーブを形成し易くなるし、作ったカールやウエーブを長時間キープできる。
【図面の簡単な説明】
【００１７】
【図１】本発明の実施例１に係る自動巻きヘアーアイロンを示す一部切欠側面図。
【図２】本発明の実施例２に係る自動巻きヘアーアイロンを示す側面図。
【図３】本発明の実施例３に係る自動巻きヘアーアイロンを示す側面図。
【図４】本発明の実施例４に係る自動巻きヘアーアイロンを示す一部切欠側面図。
【発明を実施するための形態】
【００１８】
本発明で使用する多元素鉱物とは、例えば、真珠岩や松脂岩、それにトルマリン（電気石）のように珪素を主成分とし、多数の元素がバランスよく含まれている鉱物をいい、この多元素鉱物はマイナスイオンを出すことが知られている。
【００１９】
多元素鉱物ミネラルパウダーは、多元素鉱物をボールミル等で粉砕してパウダーに形成したもので、この場合の粉砕数値は１〜３ミクロンが望ましいが数値は変わってもよい。
多元素鉱物ミネラルパウダーは単独或いは組み合わせて使用することができるが、２種類以上を適宜配合して使用することが好ましい。
この多元素鉱物ミネラルパウダーはそのまま使用してもよいし、これを水と混合し、加熱又は加圧した後、上澄み液を真空凍結乾燥や噴射乾燥により粉末にしたものを使用してもよい。
【００２０】
尚、真珠岩は下記の表１で示す成分からなるものである。
【００２１】
【表１】
2014226565.tif 000003
【００２２】
多元素鉱物ミネラルパウダーから放射される４〜１４μｍの波長の電磁波（微弱エネルギ−）には、原子の核の周囲を電気的に変化させて原子、さらにその物質を励起状態（振動）にし、その結果、水のクラスタ（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。
【００２３】
そこで、この電磁波（微弱エネルギー）を毛髪や頭皮に当てることにより、毛髪や頭皮中の水分をミネラル化して毛髪や頭皮の中の蛋白質を活性化し、常に健康毛でツヤのある毛髪とすることができる。
【００２４】
また、遠赤外線放射パウダーは、遠赤外線放射材料としてのアルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等をパウダーにしたもので、これらの遠赤外線放射パウダーを毛髪や頭皮の吸収に適した波長の遠赤外線を放射するようにブレンドして使用するのが好ましい。
【００２５】
又、本発明でいう「含有」には、多元素鉱物ミネラルパウダーや遠赤外線放射パウダーを加熱手段自体に練り込んで所定の形状に成型したもの、又、多元素鉱物ミネラルパウダーや遠赤外線放射パウダーをコーティング剤に混合させて表面に塗布することでコーティング層（例えば、セラミックコーティング層、メッキ層、フッ素コーティング層、ナイロン層、合成樹脂層、シリコンラバー層、フッ素ラバー層等）を形成させたものを含む。
【実施例１】
【００２６】
実施例１の自動巻きヘアーアイロンＡは、図１で示すように、合成樹脂によるハンドル１の先端に回転アイロン部２が連結されている。
前記回転アイロン部２は、内部にヒータ４が組み付けられ、このヒータ４の発熱によって加熱する巻付胴部２ａが加熱手段として設けられている。
巻付胴部２ａとしては、アルミ材、スチール材、ステンレス材、セラミック材等を用いることができる。
【００２７】
又、回転アイロン部２の基端には回転台座２０が取り付けられ、前記巻付胴部２ａの基端側外周に対して当接又は離反するグローブ２ｂが軸２１によって前記回転台座２０に軸着されている。
前記グローブ２ｂは、図示省略したスプリングによって常時は巻付胴部２ａの外周面に対して当接する状態に付勢され、レバー２２を押えることで巻付胴部２ａの外周面から図１の仮想線で示す解放状態に開くことができる。
【００２８】
前記回転台座２０は、その基端部に突設した支持軸２０ａが前記ハンドル１の先端内部に設けた軸受１０により回転可能に軸支され、この回転台座２０に電動モータ３からの回転動力を動力伝達部を介して伝達することで回転アイロン部２が回転するようになっている。
【００２９】
前記電動モータ３には正逆転可能な電動モータが使用され、ハンドル１の内部に組み付けられている。
前記電動モータ３からの動力伝達部は、電動モータ３の前部にギヤアッセンブリで形成した減速ギヤ部３１を設け、この減速ギヤ部３１に動力伝達軸３２を介して前記回転台座２０の支持軸２０ａを連結させる構造になっている。尚、図中１１は動力伝達軸用軸受である。
従って、電動モータ３の回転動力が減速ギヤ部３１で減速されたのち動力伝達軸３２を介して前記回転台座２０に伝達され、回転アイロン部２全体を回転させることができる。
【００３０】
前記ハンドル１の内部には制御基板５が組み付けられ、この制御基板５には電源コード６０、電源スイッチ６１、ヒータ調温スイッチ６２、モータ正転スイッチ６３、モータ逆転スイッチ６４等が接続され、各スイッチに対応してヒータ４や電動モータ３の作動を制御する。
尚、前記ヒータ４は回転アイロン部２の内部に組み付けられているため、このヒータ４への通電は、前記支持軸２０ａの外周に取り付けたリング接点７０に、ハンドル１の内部に固定したブラシ接点７１を弾性によって接触させるようにしたロータリコネクタを用いている。
【００３１】
又、前記回転アイロン部２は、毛髪を巻き付けて回転するため、毛髪に過度のテンションが加わることで毛髪や頭皮を傷付けてしまう恐れがあり、これに対処するため、電動モータ３に一定の以上の負荷が加わった場合には、動力伝達部の途中に動力切断構造を設けて安全性を確保する必要が生じる。
本実施例では、電動モータ３に一定の以上の負荷が加わった場合、ギヤ減速部３１のギヤの噛み合いにスリップを生じさせて電動モータを空回りさせる動力切断構造（図示省略）を採用しているが、これに限らず、例えば電動モータ３自体を停止させるなど、適宜の動力切断構造を採用できる。
【００３２】
本実施例では前記巻付胴部２ａ及びグローブ２ｂに、多元素鉱物ミネラルパウダーと、遠赤外線放射パウダーの混合パウダーを含有させている。
尚、この多元素鉱物ミネラルパウダー、遠赤外線放射パウダーは必ずしも含有させる必要性はない。
【００３３】
この場合、巻付胴部２ａ及びグローブ２ｂの表面にコーティング層を形成させることで混合パウダーを含有させている。
このコーティング層は、混合パウダーをコーティング剤である耐熱性フォーマイカに加えて塗料状にしたものを表面に塗布し、これを加熱炉に通してコーティング剤を飛ばし焼き付けている。
耐熱性フォーマイカに対する混合パウダーの混合割合は、容積比で３〜１５％が望ましいが数値は変わってもよい。
【００３４】
従って、ヒータ４により巻付胴部２ａを加熱し、この巻付胴部２ａとグローブ２ｂの間に毛髪の先端部を挟持させ、その状態で電動モータ３を作動させれば、従来と異なり手首をひねって毛髪を巻き付けるといった熟練した技術を要することなく巻付胴部２ａに毛髪を巻き付けることができ、簡単な作業でカールやウエーブを付けることができる。
このとき、巻き込む角度を決め、その位置から自動回転を使って巻き始めればスタイリングに応じた任意の巻き具合でカールやウエーブを付けることができるし、左右対称のデザインも回転アイロン部２の正逆回転を利用することで簡単にできる。
【００３５】
この際、巻付胴部２ａとグローブ２ｂに含有させた多元素鉱物ミネラルパウダーから放射される微弱エネルギーや遠赤外線放射パウダーから放射される遠赤外線により毛髪をケアしながらスタイリングすることができる。
【実施例２】
【００３６】
実施例２の自動巻きヘアーアイロンＢは、図２で示すように内部にそれぞれヒータ４が組み付けられ、このヒータ４、４の発熱によって加熱する固定バレル２ｃと開閉バレル２ｄを加熱手段とした回転アイロン部２がハンドル１の先端に設けられている。
【００３７】
前記固定バレル２ｃは基端が回転台座２０に固定され、開閉バレル２ｄは基端が前記回転台座２０に軸２３によって軸着されている。
両バレル２ｃ、２ｄは対向内面側が平面に形成され、対向外面側が円弧面に形成された断面略半円形の鞘状に形成され、その対向面が毛髪挟持面２４、２４に形成されている。
一方の開閉バレル２ｄは、図示省略したスプリングによって常時は毛髪挟持面２４、２４同士が当接する状態に付勢され、レバー２５を押えることで図２の仮想線で示す解放状態に開くことができる。
前記両バレル２ｃ、２ｄの両側縁部は毛髪を挟持したときに、毛髪に折り跡線が入らないように丸みを持つアール面に形成されている。
【００３８】
使用に際しては、開閉バレル２ｄを閉じて両バレル２ｃ、２ｄの毛髪挟持面２４、２４間に毛髪を挟持させた状態で電動モータ３を作動させ、自動で両バレル２ｃ、２ｄの外周に毛髪を巻き付けることで毛髪にカールやウエーブを付ける。
又、毛髪を挟持させた状態でモータ駆動による回転をさせずに従来と同様の施術、例えばストレートヘアや頭頂部のボリュームアップといった施術、毛髪の中間部を挟持して手首を１８０度回転させ、そのまま毛先に向かってスライドさせることによりカールやウエーブを付けるといった施術を行うことができるのは勿論である。
尚、その他の構成及び作用は前記実施例１と同様である。
【実施例３】
【００３９】
実施例３の自動巻きヘアーアイロンは、図３で示すように前記実施例２で示した自動巻きヘアーアイロンＢの固定バレル２ｃの基端部に、実施例１で示した開閉グローブ２ｂと同様の開閉グローブ２ｅを設けたものである。
尚、その他の構成及び作用は前記実施例１及び実施例２と同様である。
【実施例４】
【００４０】
実施例４の自動巻きヘアーアイロンＤは、図４で示すように内部にそれぞれヒータ４、４が組み付けられ、このヒータ４、４の発熱によって加熱する一対の加熱筒部材２ｆ、２ｆを加熱手段とする回転アイロン部２がハンドル１の先端に設けられている。
【００４１】
前記加熱筒部材２ｆは対向内面側が平面に形成され、対向外面側が円弧面に形成された断面略半円形の鞘状に形成され、間に毛髪受入れ間隙２６を保持した対向状態で回転台座２０に突設され、いわゆる音叉形状に形成されている。
【００４２】
使用に際しては、毛髪受入れ間隙２６に毛髪を取り込んだ状態で電動モータ３を作動させ、自動で両加熱筒部材２ｆ、２ｆの外周に毛髪を巻き付けることで毛髪にカールやウエーブを付ける。
尚、その他の構成及び作用は前記実施例１と同様である。
【００４３】
以上、本発明の実施例を図面に基づいて説明してきたが、具体的な構成はこの実施例に限定されるものではなく、本発明の要旨を逸脱しない範囲における設計変更等があっても本発明に含まれる。
例えば、動力伝達部の具体的構造は、何ら本実施例に限定されるものではなく。適宜な動力伝達構造を採用できる。
又、本発明の自動巻きヘアーアイロンを回転させずに使用できるのは勿論であり、毛髪にカールやウエーブを付けるためだけでなく、ストレートヘア用や癖毛矯正用、ボリュームアップ用等として使用することもできる。
【符号の説明】
【００４４】
Ａ  自動巻きヘアーアイロン
Ｂ  自動巻きヘアーアイロン
Ｃ  自動巻きヘアーアイロン
Ｄ  自動巻きヘアーアイロン
１  ハンドル
２  回転アイロン部
２ａ  巻付胴部（加熱手段）
２ｃ  固定バレル（加熱手段）
２ｄ  開閉バレル（加熱手段）
２ｆ  加熱筒部材（加熱手段）
３  電動モータ
４  ヒータ
【図１】
2014226565.tif 000004
【図２】
2014226565.tif 000005
【図３】
2014226565.tif 000006
【図４】
2014226565.tif 000007